(57)【要約】【課題】袋開口部を開くときに、ジッパー芯の両端部に噛み合いを外そうとする無理な力が作用するのを未然に防止して、包装袋の破損を防止することができるジッパー付き包装袋及びそれを用いたジッパー袋包装体を提供する。【解決手段】  ジッパーテープ１３，１４は第１シール部分２１と第２シール部分２２とから成る取付けシール部２０によって袋包装材ｆの内面に密封状態にシールされる。ジッパー芯１１，１２を噛み合わすことで、包装袋１は密封封鎖される。包装材ｆの袋開口部側等を摘んで包装袋１を開こうとしても、包装袋１の開きは、ジッパー芯１１，１２の両端部に対応した袋側縁部２ａに袋包装材同士をシールするように形成されている端部シール部分２３，２４で停止されるので、ジッパー芯１１，１２の両端部１５，１６に無理な力が作用せず、破損を防止することができる。【選択図】      図１
2007055650.tif 000002
【特許請求の範囲】
【請求項１】
互いに噛み合い可能なジッパー芯と、当該ジッパー芯と一体的に形成されており且つ袋包装材の向かい合う内面に取付けシール部によって取り付けられているジッパーテープとを有するジッパーを備えているジッパー付き包装袋において、
前記取付けシール部は、前記ジッパー芯に沿って袋開口部側に袋幅に亙って延びて形成されている第１シール部分と、前記ジッパー芯の袋包装内部側で且つ前記ジッパー芯の両端部に対応した位置に形成されている第２シール部分とから成り、
前記ジッパーテープの前記袋開口部側及び前記袋包装内部側の近傍で且つ前記ジッパー芯の両端部に対応した袋側縁部には、前記袋包装材同士をシールする端部シール部分が形成されていることから成るジッパー付き包装袋。
【請求項２】
前記端部シール部分は、前記第１シール部分の端部又は前記第２シール部分と連続して形成されていることから成る請求項１に記載のジッパー付き包装袋。
【請求項３】
前記第１シール部分は、前記端部を除く部分で前記ジッパーテープの幅方向端縁よりも前記ジッパー芯寄りの位置に形成されていることから成る請求項２に記載のジッパー付き包装袋。
【請求項４】
前記第２シール部分は、噛み合った状態で潰されている前記ジッパー芯の前記両端部の潰し長さよりも広い寸法の幅に形成されていることを特徴とする請求項１〜３のいずれか１項に記載のジッパー付き包装袋。
【請求項５】
前記第１シール部分の端部と連続して形成されている前記端部シール部分には、引き裂き開始用の易開封手段が形成されていることから成る請求項１〜４のいずれか１項に記載のジッパー付き包装袋。
【請求項６】
請求項１〜５のいずれか１項に記載の前記包装袋を用いて内部に製品を収容し、前記袋開口部を開封した後に前記ジッパーによって前記包装袋を再開封・再閉鎖可能とされたジッパー付き袋包装体。
【発明の詳細な説明】
【技術分野】
【０００１】
この発明は、ジッパー付き包装袋及びそれを用いたジッパー付き袋包装体に関する。
【背景技術】
【０００２】
従来、包装袋は、袋開口部にヒートシール等で封鎖がされることで密封されており、ＩノッチやＶノッチのような易開封手段を利用して袋を引き裂くことなどすることで開封される形式のものがある。開封した袋から、中に収容した製品を取り出すなどした後、袋を再度封鎖可能とし、或いは、開封後も、何度も封鎖と開封とを繰り返すことを可能にするために、袋開口部の近傍にジッパーを設けることが提案されており、実際にも用いられている。
【０００３】
袋の本体部を、積層フィルムの左右の端縁部同士を縦方向にヒートシールして筒状に形成する際、少なくとも一方の側部を積層フィルムの折り返し部で形成し、上部の開口端を上部シール部でヒートシールすると共に、その内側の内面に一方の側部から他方の側部に向けて横方向にチャックテープを熱接着し、上部シール部とチャックテープの間に切り取り線とノッチなどの開封手段を設けて構成されたチャックテープ付き袋が提案されている（特許文献１参照）。チャックテープの熱接着は、折り返し前の積層フィルムに仮接着させ、筒状に形成後、本接着する方法で行われる。また、上部シール部とチャックテープの間にノッチを形成するために、当該部分の袋にスポットシール部を設けることが開示されている。
【特許文献１】特開２００３−２１２２４８号公報（段落［００３３］〜［００３８］、図１）
【０００４】
図５は、従来のジッパー付き包装袋の要部を示す部分図である。図５に示すように、ジッパー８については、袋を形成している包装材ｆの内面側にジッパー片をヒートシールで貼着している。また、ジッパー８の端部１５，１６は、通常、折り返された包装材ｆから成る袋４１の側端部に位置している。ジッパー８の端部１５，１６は、包装材ｆを傷めないように、凹凸を噛み合わせた状態で押し潰されている。
【０００５】
従来のジッパー８の袋１への貼着は、ジッパーテープ１３の範囲内で袋包装材とジッパーテープ１３とをヒートシール部２６，２７によって取り付けている。ジッパー芯１１，１２の厚さはジッパーテープ１３の厚さ以上であるので、ヒートシール部２７ではジッパーテープ１３とジッパー芯１１，１２とに亙って均一なシールを得るのが困難であり、ジッパー８の端部１５，１６での密封性確保が困難である、という問題がある。また、ジッパー芯１１，１２の端部１５，１６は押し潰すことで互いの噛み合いが外れるのを防止しているが、封鎖と開封を繰り返すうちに、端部１５，１６の噛み合いが外れると、それぞれに動きが自由になったジッパー芯１１，１２の端部１５，１６が袋包装材ｆの端縁部分に損傷を与えやすくなり、最悪の場合、袋４１の密封性が維持できなくなる。
【発明の開示】
【発明が解決しようとする課題】
【０００６】
そこで、ジッパーの袋包装材内面への取付けについて、袋開口部の開きを完全には開き切ることがない程度に制限することで、押し潰し状態にあるジッパー芯の両端部の噛み合いが外れるのを防止する点で解決すべき課題がある。
【課題を解決するための手段】
【０００７】
この発明の目的は、袋包装材を摘むなどして袋開口部を開くときに、ジッパー芯の両端部に噛み合いを外そうとする無理な力が作用するのを未然に防止して、噛み合いが外れたジッパー芯の端部による包装袋の破損を防止することができるジッパー付き包装袋及びそれを用いたジッパー袋包装体を提供することである。
【０００８】
上記の課題を解決するため、この発明によるジッパー付き包装袋は、互いに噛み合い可能なジッパー芯と、当該ジッパー芯と一体的に形成されており且つ袋包装材の向かい合う内面に取付けシール部によって取り付けられているジッパーテープとを有するジッパーを備えているジッパー付き包装袋において、前記取付けシール部は、前記ジッパー芯に沿って袋開口部側に袋幅に亙って延びて形成されている第１シール部分と、前記ジッパー芯の袋包装内部側で且つ前記ジッパー芯の両端部に対応した位置に形成されている第２シール部分とから成り、前記ジッパーテープの前記袋開口部側及び前記袋包装内部側の近傍で且つ前記ジッパー芯の両端部に対応した袋側縁部には、前記袋包装材同士をシールする端部シール部分が形成されていることから成っている。
【０００９】
このジッパー付き包装袋によれば、ジッパーテープは第１シール部分と第２シール部分とから成る取付けシール部によって袋包装材の内面にシールされて、ジッパーテープと袋包装材の内面との間は気密状態に取り付けられる。そのように袋の内面に取り付けられたジッパーのジッパー芯同士を噛み合わせることによって、袋包装内部は外部に対して密封封鎖される。袋開口部を引き裂いて開封したとき、あるいは再閉鎖の後、再度開封する場合には、袋開口部を広く開けることで、袋の開口部を通して袋内部にアクセス可能となる。この際に、ジッパーよりも袋開口部側の開封された包装材を摘んで、或いはジッパーよりも袋包装内部側の包装材を摘んで、左右に開くことで、噛み合っていたジッパー芯の噛み合いが外れて、ジッパーの部分で袋が開口される。
【００１０】
ジッパー芯の噛み合いの外れは、袋幅方向で見て中央部分から次第に袋端縁に向かって広がっていく。ジッパーテープの袋開口部側及び袋包装内部側の近傍で且つジッパー芯の両端部に対応した袋側縁部には、袋包装材同士をシールする端部シール部分が形成されているので、包装材の袋開口部側及び袋包装内部側のどちら側の部分を摘んで包装袋を開こうとしても、包装袋の開きは、包装材同士をシールしている当該端部シール部分で停止される。したがって、ジッパー芯の噛み合いの外れは、包装袋の開きが端部シール部分で停止されたときに止まり、ジッパー芯の両端部には噛み合いを外そうとする無理な力が作用せず、ジッパー芯の両端部の破損を防止することができる。
【００１１】
このジッパー付き包装袋において、前記端部シール部分は、前記第１シール部分の端部又は前記第２シール部分と連続して形成することができる。端部シール部分を、当該端部シール部分に近接して位置する第１シール部分の端部又は第２シール部分と連続して形成することにより、端部シール部分のためのヒートシーラと、取付けシール部を形成するヒートシーラとを連続的に構成することができ、端部シール部分はジッパー芯の両端部に可及的に近接した位置で包装材の開きを防止することができる。
【００１２】
このジッパー付き包装袋において、前記第１シール部分は、前記端部を除く部分で前記ジッパーテープの幅方向端縁よりも前記ジッパー芯寄りの位置に形成することができる。ジッパーを袋包装材にヒートシールすることで取り付けるときに、第１シール部分の形成位置を上記のように定めることで、ジッパーよりも袋開口端寄りに設けられる切り裂き開封用のスペースにおいて包装材同士が誤ってシールされることを回避することができる。  
【００１３】
このジッパー付き包装袋において、前記第２シール部分は、噛み合った状態で潰されている前記ジッパー芯の前記両端部の潰し長さよりも広い寸法の幅に形成することができる。第２シール部分のシールの範囲をこのように定めることによって、包装材を摘んでジッパーを開こうとしても、包装袋の開きは端部シール部分で停止される。即ち、包装袋はジッパー芯の両端部の手前で確実に停止するので、ジッパーの開きもジッパー芯の潰された端部に及ばず、したがってジッパー芯の当該端部に過大な力が作用することがない。
【００１４】
上記のジッパー付き包装袋において、前記第１シール部分の端部と連続して形成されている前記端部シール部分には、引き裂き開始用の易開封手段を形成することができる。易開封手段を形成する際にも包装袋の密封が維持されることが必要である。包装袋の袋側縁部に形成される端部シール部分を利用して、開封ノッチのような易開封手段を形成することにより、未開封状態では包装袋の密封を維持しながらも、未開封の包装袋の開封時には易開封手段を用いることで開封を容易に行うことができる。
【００１５】
このジッパー付き包装袋は、前記包装袋を用いて内部に製品を収容し、前記袋開口部を開封した後に前記ジッパーによって前記包装袋を再開封・再閉鎖可能とされた袋包装体に用いることができる。
【発明の効果】
【００１６】
この発明は、上記のように構成されており、ジッパーテープの袋開口部側及び袋包装内部側の近傍で且つジッパー芯の両端部に対応した袋側縁部には、袋包装材同士をシールする端部シール部分が形成されているので、包装材の袋開口部側及び袋包装内部側のどちらの側の部分を摘んで包装袋を開こうとしても、包装袋の開きは、包装材同士をシールしている当該端部シール部分で停止される。したがって、ジッパー芯の噛み合いの外れは、包装袋の開きが端部シール部分で停止されたときに止まり、ジッパー芯の両端部には噛み合いを外そうとする無理な力が作用せず、ジッパー芯の両端部の破損を防止することができ、その結果、ジッパー付き包装袋及びそれを用いた袋包装体において、ジッパー芯による包装袋の損傷を防止することができる。
【発明を実施するための最良の形態】
【００１７】
以下、添付した図面に基づいて、この発明によるジッパー付き袋包装体の実施例を説明する。図１はこの発明によるジッパー付き袋包装体の一実施例を示す正面図、図２は図１に示すジッパー付き袋包装体の断面図、図３は図１に示すジッパー付き袋包装体を開封した状態を示す斜視図である。
【００１８】
図１に示すジッパー付き袋包装体Ｐ１は、平袋として製作されたジッパー付き包装袋（以下、単に「袋」と言う）１内に製品Ａを収容した包装体である。袋１は、筒状に成形されている胴部２と、胴部２の下側端部でヒートシールされて袋底を形成している地エンドシール部３と、胴部２の上側端部でヒートシールされて袋上端を形成している天エンドシール部４とを有する平袋として密封形成されている。包装材は、エンドシール部３，４がヒートシールされていることからも判るように、その内面側には、熱を加えることによる自己接着性が与えられている。胴部２は、ウェブ状の包装材を縦シールにて筒状に形成した筒状包装材から作られるが、当初から筒状に形成されている包装材を用いてもよい。また、平坦な袋包装材を用いることもでき、袋包装体Ｐ１を個別に製造する場合には一枚の包装材について、又は連続的に製造する場合にはウェブ状の包装材（後で、個別に切断される）について断面円筒形に曲成し、合わせた両側縁部分をヒートシールして背貼りシール部５を形成することで筒状に形成される。
【００１９】
開封した袋包装体Ｐ１の開口部を繰り返して閉鎖可能にするために、天エンドシール部４の袋中央寄りの位置に、若干の引き裂き開封用スペース６を置いて、再開封・再閉鎖可能なジッパー８が設けられている。ジッパー８は、図２に示す断面図に最も良く示すように、二つのジッパー片、即ち、凸型のジッパー片９と凹型のジッパー片１０とから成っている。図２（ａ）は、袋１の中央での縦断面図、図２（ｂ）は袋１の袋側縁部２ａでの縦断面図である。ジッパー片９，１０は一方が雄型であり他方が雄型である互いに噛み合い可能な凸型のジッパー芯１１及び凹型のジッパー芯１２と、ジッパー芯１１，１２と一体的に形成されており且つ袋包装材の向かい合う内面に、後述する取付けシール部によって取り付けられているジッパーテープ１３，１４とを有する。ジッパー片９，１０は、雄雌の噛み合いを除いて同じ形状・構造に形成されている。ジッパー片９，１０のジッパーテープ１３，１４は一定の幅Ｈを持ち、ジッパーテープ１３，１４のそれぞれ幅方向の中央領域にジッパー芯１１，１２が一体的に形成されている。ジッパー芯１１，１２は、その両端部１５，１６が噛み合わされた状態でジッパーテープ１３，１４と面一に沿う方向に扁平状態に潰されており、ジッパー８を開くときにも、通常の使用状態では、両端部１５，１６で開きが止められ、両端部１５，１６では開くことがない。
【００２０】
凸型のジッパー片９と凹型のジッパー片１０とは、それぞれのジッパーテープ１３，１４が、ジッパー芯１１，１２が形成される側と反対側において、袋包装材の内面側にヒートシールにて貼着されている。ジッパー８の袋包装材は、予め、凸型ジッパー芯１１と凹型ジッパー芯１２とを嵌合させた状態で、一部を包装材に接着剤やヒートシールにて仮止めされて、包装材に位置決めされる。包装袋１の製造時に、位置決めされているジッパー８をジッパーシールにてシールすることで貼着される。
【００２１】
ジッパー８を包装袋１に貼り付ける取付けシール部について説明する。なお、包装袋１の裏面側でも同様の取付け構造であるので、正面側で代表して説明する。ジッパーテープ１３を袋包装材に取り付ける取付けシール部２０は、ジッパー芯１１に沿って袋開口部側に袋幅Ｗ１に亙って延びて形成されている第１シール部分２１と、ジッパー芯１１の袋包装内部側で且つジッパー芯１１の両端部１５，１６に対応した袋側縁部に形成されている第２シール部分２２，２２とから成っている。
【００２２】
ジッパーテープ１３は、取付けシール部２０の第１シール部分２１によって袋包装材の内面に全幅Ｗ１でヒートシールされているので、ジッパーテープ１３と袋包装材の内面との間は、袋１の内外を通じる方向に封じられて、気密状態に取り付けられる。第１シール部分２１は、両端部２１ａを除く袋幅Ｗ１の殆どの範囲に亙って、ジッパーテープ１３の幅方向一方の端縁である上端縁１３ａ（ジッパーテープ１４については上端縁１４ａ）から内寄りの位置に形成されている。第１シール部分２１の位置をこのように定めることにより、ジッパーシールによって第１シール部分２１を形成するときに、開封用スペース６の部分で袋包装材の内面同士をシールすることを防止することができる。一方、第２シール部分２２は、噛み合った状態で潰されているジッパー芯１１の両端部１５，１６の潰し長さＷ２よりも広い寸法の幅Ｗ３に形成されている。
【００２３】
ジッパーテープ１３の袋開口部側の近傍で且つジッパー芯１１の両端部１５，１６に対応した開封用スペース６の袋側縁部６ａ，６ａには、袋包装材同士をシールする第１端部シール部分２３，２３が形成されており、また、ジッパーテープ１３の袋包装内部側の近傍で且つジッパー芯１１の両端部１５，１６に対応した胴部２の袋側縁部２ａ，２ａには、袋包装材同士をシールする第２端部シール部分２４，２４が形成されている。この実施例においては、第１端部シール部分２３，２３はそれに近接して位置する第１シール部分２１の端部２１ａ，２１ａと連続して形成されており、第２端部シール部分２４，２４はそれに近接して位置する第２シール部分２２，２２と連続して形成されている。このようなシール構造とすることにより、第１端部シール部分２３，２３及び第２端部シール部分２４，２４を形成するときのヒートシーラについては、第１シール部分２１又は第２シール部分２２，２２と連続した簡素な構造を採用することができる。
【００２４】
少なくとも一方の第１端部シール部分２３には、包装袋１を切り裂いて袋包装体Ｐ１を開封するのに用いられる開封ノッチ２５が形成されている。即ち、第１端部シール部分２３は、開封ノッチ２５を形成するための包装材の内面同士をシールしたスポットシール部として利用される。開封ノッチ２５の周囲には、第１端部シール部分２３のシール部分が残るので、開封ノッチ２５を形成しても袋１又は袋包装体Ｐの密封が損なわれない。開封ノッチ６から包装袋１を引き裂くことによって、袋包装体Ｐ１を開封し、ジッパー８を開くことで、製品Ａにアクセスすることができる。
【００２５】
開封ノッチ２５から引き裂きを開始して、開封用スペース６を引き裂くために、包装材としては、少なくとも引き裂き方向（包装袋１の横方向）に延伸した包装フィルムを用いることができる。開封ノッチ２５は、図示の例では外側からＶ形に切り込まれた、所謂、Ｖノッチであるが、その他にも、Ｉノッチやその他、引き裂き方向を誘導する形状とすることができる。また、開封ノッチ２５の延長上の包装材には、引き裂きを天エンドシール部４よりも内側で切り裂いて案内する弱化線２５ａを形成しておくことで、引き裂き線が意図しない方向に進むことがなく真っ直ぐな開封ラインとなるように誘導することが好ましい。弱化線２５ａに代えて、ユーザに引き裂き方向を案内する指示線を印刷等で示しておくこともできる。
【００２６】
次に、袋１の開口部の再閉鎖・再開口について説明する。凸型ジッパー芯１１と凹型ジッパー芯１２とを嵌合又は嵌合を外すことで、袋１の開口部が再閉鎖・再開口可能となる。ジッパー芯１１，１２が噛み合うことによって、袋１の内部は外部に対して密封封鎖される。袋１を開封用スペース６にて引き裂いて開封したとき、あるいはジッパー８を再閉鎖の後、ジッパー８を再度開封する場合には、袋１の袋開口部を広く開けることで、袋１の内部にアクセス可能となる。
【００２７】
ジッパー８よりも袋開口部側の開封された包装材を摘んで、或いはジッパー８よりも袋包装内部側の包装材を摘んで、左右に開くことで、噛み合っていたジッパー芯１１，１２の噛み合いが外れて、ジッパー８の部分で袋が開口される。ジッパー芯１１，１２の噛み合いの外れは、袋幅方向で見て中央部分から次第に袋端縁に向かって広がっていく。包装材の袋開口部側及び袋包装内部側のどちら側の部分を摘んで袋１を開こうとしても、袋１の開きは、図３に袋１の開口状態を示す斜視図に示すように、包装材同士をシールしている第１及び第２の端部シール部分２３，２４で停止される。したがって、ジッパー芯１１，１２の噛み合いの外れは、両端部１５，１６に至る前に、袋１の開きが第１及び第２の端部シール部分２３，２４で停止されたときに止まる。ジッパー芯１１，１２の両端部１５，１６には噛み合いを外そうとする無理な力が作用せず、ジッパー芯１１，１２の両端部１５，１６の破損を防止することができる。
【００２８】
この実施例では、第１の端部シール部分２３，２３及び第２の端部シール部分２４，２４は、当該端部シール部分に近接して位置する第１シール部分２１の端部２１ａ，２１ａ又は第２シール部分２２，２２と連続して形成されているので、ジッパー芯１１，１２の両端部１５，１６に可及的に近接した位置で包装材の開きを防止し、ジッパー芯１１，１２の潰された両端部１５，１６の無理な開きを防止することができる。また、第１及び第２端部シール部分の形成ためのヒートシーラについては、取付けシール部２０（第１シール部分２１及び第２シール部分２２）を形成するヒートシーラとを連続的に構成することで、ヒートシーラの構造や、取付けシール部及び端部シール部分の形成の工程を簡素化することができる。
【００２９】
更に、第２シール部分２２，２２のシール幅Ｗ３は、ジッパー芯１１，１２の噛み合った状態で潰されている両端部１５，１６の潰し幅Ｗ２よりも長い寸法とされている。したがって、袋１の包装内側の包装材を摘んで袋１を開こうとしても、袋１の開きは、幅Ｗ３で形成されている第２端部シール部分２４，２４で停止される。即ち、袋１は、ジッパー芯１１，１２の両端部１５，１６の手前で確実に停止する。
【００３０】
図４には、この発明によるジッパー付き包装袋の別の実施例が示されている。この実施例では、取付けシール部３０の第１シール部分３１と第１端部シール部分３３，３３とが連続しておらず、また取付けシール部３０の第２シール部分３２と第２端部シール部分３４，３４とが連続していない。この構造では、ジッパー８の包装材への取付けと、ジッパー８の開きを制限する端部シール部分３２，３３の形成とは、別に行うことができる。
【図面の簡単な説明】
【００３１】
【図１】この発明によるジッパー付き袋包装体の一実施例を示す正面図である。
【図２】図１に示すジッパー付き袋包装体の断面図である。
【図３】図１に示すジッパー付き袋包装体を開封した状態を示す斜視図である。
【図４】この発明によるジッパー付き包装袋の別の実施例を示す正面図である。
【図５】図５は、従来のジッパー付き包装袋の要部を示す部分図である。
【符号の説明】
【００３２】
１  ジッパー付き包装袋              ２  胴部
３  地エンドシール部                ４  天エンドシール部
５  背貼りシール部                  ６  開封用スペース
８  ジッパー８
９  凸型ジッパー片                  １０  凹型ジッパー片
１１  凸型ジッパー芯                  １２  凹型ジッパー芯
１３，１４  ジッパーテープ            １３ａ，１４ａ  上端縁
１５，１６  両端部
２０  取付けシール部
２１  第１シール部分                  ２１ａ，２１ａ  両端部
２２  第２シール部分
２３  第１端部シール部分              ２４  第２端部シール部分
２５  開封ノッチ                      ２５ａ  弱化線
３０  取付けシール部
３１  第１シール部分                  ３２  第２シール部分
３３  第１端部シール部分              ３４  第２端部シール部分
Ｗ１  袋幅                            Ｗ２  潰し長さ
Ｗ３  第２シール部分２２，３２の幅
Ｐ１  ジッパー付き袋包装体
【図１】
2007055650.tif 000003
【図２】
2007055650.tif 000004
【図３】
2007055650.tif 000005
【図４】
2007055650.tif 000006
【図５】
2007055650.tif 000007